【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
放射線又は光を電荷に変換するための変換素子と、前記変換素子の電荷に基づく電気信号を出力するために導通状態となる出力動作を行う出力用スイッチ素子と、前記変換素子を初期化するために導通状態となる初期化動作を行うために前記出力用スイッチ素子とは別に設けられた初期化用スイッチ素子と、を有する画素が行列状に複数配列された変換部と、
行単位で前記出力動作を制御するための出力用駆動回路と、
行単位で前記初期化動作を制御するための初期化用駆動回路と、
出力された前記電気信号を伝送するための伝送経路を含み、前記伝送経路を介して読み出された前記電気信号を一時保持する信号サンプルホールド動作と、前記伝送経路の電位をリセットするリセット動作と、を行うための読出回路と、
前記リセット動作の終了後の所定行の前記出力動作の終了及び前記所定行の次に行われる他の行の出力動作の開始と、前記所定行の前記出力動作の終了及び前記他の行の出力動作の開始の後の前記信号サンプルホールド動作の開始と、前記信号サンプルホールド動作の終了後の前記リセット動作及び前記初期化動作の開始と、前記初期化動作の終了後の前記リセット動作の終了と、が行われるように、前記出力用駆動回路、前記初期化用駆動回路、及び前記読出回路を制御するための制御部と、
を有する撮像装置。
【請求項２】
前記読出回路は、前記伝送経路のノイズ成分を一時保持するノイズ成分サンプルホールド動作を更に行うことが可能であり、
前記制御部は、前記リセット動作の終了後の前記ノイズ成分サンプルホールド動作の開始と、前記ノイズ成分サンプルホールド動作の終了後の前記所定行の前記出力動作の終了及び前記他の行の出力動作の開始と、前記所定行の前記出力動作の終了及び前記他の行の出力動作の開始の後の前記信号サンプルホールド動作の開始と、前記信号サンプルホールド動作の終了後の前記リセット動作及び前記初期化動作の開始と、前記初期化動作の終了後のリセット動作の終了と、が行われるように、前記出力用駆動回路、前記初期化用駆動回路、及び前記読出回路を制御することを特徴とする請求項１に記載の撮像装置。
【請求項３】
前記制御部は、前記出力動作が複数行単位で行われるように、前記出力用駆動回路、前記初期化用駆動回路、及び前記読出回路を制御することを特徴とする請求項１又は２に記載の撮像装置。
【請求項４】
前記変換素子は、第１電極と第２電極を有し、
前記第１電極は前記出力用スイッチ素子及び前記初期化用スイッチ素子に電気的に接続され、
前記第２電極はバイアス電源と電気的に接続され、
前記初期化用スイッチ素子は初期化用電源と電気的に接続され、
前記バイアス電源は、前記変換素子を変換動作が可能な状態にするための電位を前記第２電極に供給し、
前記初期化用電源は、前記変換素子を初期化動作が可能な状態にするための電位を前記第１電極に供給することを特徴とする請求項１から３のいずれか１項に記載の撮像装置。
【請求項５】
前記バイアス電源と前記複数の画素の前記第２電極とを電気的に接続するセンサバイアス配線を更に有し、
前記センサバイアス配線の容量値をＣｖｓ、センサバイアス配線の抵抗をＲｉｎ、出力動作を開始してからサンプルホールド動作を終了するまでの時間をＴｓｈとすると、
Ｔｓｈ＞５×Ｃｖｓ×Ｒｉｎ
を満たすことを特徴とする請求項４に記載の撮像装置。
【請求項６】
前記伝送経路は、前記電気信号を増幅する増幅回路部を含み、前記増幅回路部は前記電気信号を増幅して出力する演算増幅器と、積分容量と、積分容量をリセットするリセットスイッチと、を有する増幅回路を備えることを特徴とする請求項１から５のいずれか１項に記載の撮像装置。
【請求項７】
請求項１乃至６のいずれか１項に記載の撮像装置と、
少なくとも前記撮像装置を制御する制御装置と、
を有することを特徴とする放射線撮像システム。
【請求項８】
放射線又は光を電荷に変換するための変換素子と、前記変換素子の電荷に基づく電気信号を出力するために導通状態となる出力動作を行う出力用スイッチ素子と、前記変換素子を初期化するために導通状態となる初期化動作を行うために前記出力用スイッチ素子とは別に設けられた初期化用スイッチ素子と、を有する画素が行列状に複数配列された変換部と、出力された前記電気信号を伝送するための伝送経路を含んで前記伝送経路を介して読み出された前記電気信号を一時保持する信号サンプルホールド動作と、前記伝送経路の電位をリセットするリセット動作と、を行うための読出回路と、を含む撮像装置の制御方法であって、
前記リセット動作の終了後に所定行の前記出力動作を終了する及び前記所定行の次に行われる他の行の出力動作を開始する工程と、
前記所定行の前記出力動作の終了及び前記他の行の出力動作の開始後に前記信号サンプルホールド動作を開始する工程と、
前記信号サンプルホールド動作の終了後に前記リセット動作及び前記初期化動作を開始する工程と、
前記初期化動作の終了後にリセット動作を終了する工程と、
を行うことを特徴とする撮像装置の制御方法。
【請求項９】
放射線又は光を電荷に変換するための変換素子と、前記変換素子の電荷に基づく電気信号を出力するために導通状態となる出力動作を行う出力用スイッチ素子と、前記変換素子を初期化するために導通状態となる初期化動作を行うために前記出力用スイッチ素子とは別に設けられた初期化用スイッチ素子と、を有する画素が行列状に複数配列された変換部と、出力された前記電気信号を伝送するための伝送経路を含んで前記伝送経路を介して読み出された前記電気信号を一時保持する信号サンプルホールド動作と、前記伝送経路の電位をリセットするリセット動作と、を行うための読出回路と、を含む撮像装置の制御をコンピュータに実行させるためのプログラムであって、
前記リセット動作の終了後に所定行の前記出力動作を終了する及び前記所定行の次に行われる他の行の出力動作を開始するステップと、
前記所定行の前記出力動作の終了及び前記他の行の出力動作の開始後に前記信号サンプルホールド動作を開始するステップと、
前記信号サンプルホールド動作の終了後に前記リセット動作及び前記初期化動作を開始するステップと、
前記初期化動作の終了後にリセット動作を終了するステップと、
を行わせる前記撮像装置の制御をコンピュータに実行させることを特徴とするプログラム。
【請求項１０】
２つの電極を有して放射線又は光を電荷に変換するための変換素子と、前記変換素子の一方の電極に電気的に接続された出力用スイッチ素子と、前記変換素子の一方の電極及び前記出力用スイッチ素子に電気的に接続された初期化用スイッチ素子と、を有する画素が行列状に複数配列された変換部と、
複数の前記出力用スイッチ素子の制御端子に行単位で電気的に接続された出力用駆動回路と、
複数の前記初期化用スイッチ素子の制御端子に行単位で電気的に接続された初期化用駆動回路と、
出力された前記電気信号を伝送するための伝送経路と、前記伝送経路に電気的に接続された信号用サンプリングスイッチと、前記伝送経路の電位をリセットするリセットスイッチと、を含む読出回路と、
前記リセットスイッチの導通の終了後の所定行の前記出力用スイッチ素子の導通の終了及び前記所定行の次に行われる他の行の前記出力用スイッチ素子の導通の開始と、前記所定行の前記出力用スイッチ素子の導通の終了及び前記他の行の前記出力用スイッチ素子の導通の開始の後の前記信号用サンプリングスイッチの導通の開始と、前記信号用サンプリングスイッチの導通の終了後の前記リセットスイッチの導通及び前記初期化用スイッチ素子の導通の開始と、前記初期化用スイッチ素子の導通の終了後の前記リセットスイッチの導通の終了と、が行われるように、前記出力用駆動回路、前記初期化用駆動回路、及び前記読出回路を制御するための制御部と、
を有する撮像装置。